【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
複数のネットワークノードを有する無線ネットワーク上で、残存電力容量を有する消耗可能な電源を備えた第１の無線ネットワークノードにおいて電力を節約する電力節約方法であって、
前記第１の無線ネットワークノードにおいて、前記消耗可能な電源の前記残存電力容量を検出するステップと、
前記消耗可能な電源の前記残存電力容量を複数のスリープレベルしきい値と比較するステップであって、前記スリープレベルしきい値は、それぞれ、異なる各残存電力容量レベルに関連づけられているとともに各スリープレベルに関連づけられ、各スリープレベルは少なくとも１つの要件を有するステップと、
前記比較するステップに基づいて、前記第１の無線ネットワークノードが関わるスリープレベルを選択するステップと、
前記選択されたスリープレベルの識別表示を前記複数のネットワークノードのうちの１つ又は複数のネットワークノードに対して送信するステップと
を有し、前記第１の無線ネットワークノードとの間のその後続の通信が、前記選択されたスリープレベルの前記少なくとも１つの要件と整合していることを特徴とする電力節約方法。
【請求項２】
前記スリープレベルの前記少なくとも１つの要件は、前記第１の無線ネットワークノードが従事することになる通信のタイプを規定することを特徴とする、請求項１に記載の電力節約方法。
【請求項３】
前記複数のスリープレベルのそれぞれは、前記第１の無線ネットワークノードが従事することになる通信の各タイプを規定する要件を含むことを特徴とする、請求項２に記載の電力節約方法。
【請求項４】
前記無線ネットワークは無線デスクトップデバイスクラスタを含むことを特徴とする、請求項１に記載の電力節約方法。
【請求項５】
前記無線ネットワークは無線大衆消費電子製品ネットワークを含むことを特徴とする、請求項１に記載の電力節約方法。
【請求項６】
前記無線ネットワークは無線ホーム娯楽ネットワークを含むことを特徴とする、請求項１に記載の電力節約方法。
【請求項７】
前記無線ネットワークはアドホックネットワークを含むことを特徴とする、請求項１に記載の電力節約方法。
【請求項８】
ＵＷＢ伝送は時間スロット（ｔｅｍｐｏｒａｌ  ｓｌｏｔ）に分割され、前記選択されたスリープレベルの識別表示を送信するステップは、選択された時間スロットにおいて前記識別表示を送信することを特徴とする、請求項１に記載の電力節約方法。
【請求項９】
前記選択された時間スロットは、ビーコンスロット及び管理データスロットからなる群から選択されることを特徴とする、請求項８に記載の電力節約方法。
【請求項１０】
ＵＷＢ伝送はスペクトル区分に分割され、前記選択されたスリープレベルの識別表示を送信するステップは、選択されたスペクトル区分において前記識別表示を送信することを特徴とする、請求項１に記載の電力節約方法。
【請求項１１】
前記選択されたスリープレベルの識別表示を送信するステップは、前記第１の無線ネットワークノードの前記ネットワークに対する接続中に前記識別表示を送信することを特徴とする、請求項１に記載の電力節約方法。
【請求項１２】
前記選択されたスリープレベルの識別表示を送信するステップは、前記第１の無線ネットワークノードの前記ネットワークに対する接続後に前記識別表示を送信することを特徴とする、請求項１に記載の電力節約方法。
【請求項１３】
前記選択されたスリープレベルの識別表示を送信するステップは、定期的に前記識別表示を送信することを特徴とする、請求項１２に記載の電力節約方法。
【請求項１４】
複数のネットワークノードを有する無線ネットワーク上で、残存電力容量を有する消耗可能な電源を備えた第１の無線ネットワークノードにおいて電力を節約する電力節約方法を実施するためのコンピュータ実行可能命令を有するコンピュータ読み取り可能な媒体であって、
前記命令は、
前記第１の無線ネットワークノードにおいて、前記消耗可能な電源の前記残存電力容量を検出するステップと、
前記消耗可能な電源の前記残存電力容量を複数のスリープレベルしきい値と比較するステップであって、前記スリープレベルしきい値は、それぞれ、異なる各残存電力容量レベルに関連づけられているとともに各スリープレベルに関連づけられ、各スリープレベルは少なくとも１つの要件を有するステップと、
前記比較するステップに基づいて、前記第１の無線ネットワークノードが関わるスリープレベルを選択するステップと、
前記選択されたスリープレベルの識別表示を前記複数のネットワークノードの１つ又は複数のネットワークノードに対して送信するステップと
のための命令を含み、それによって前記第１の無線ネットワークノードとの間のその後続の通信が、前記選択されたスリープレベルの前記少なくとも１つの要件と整合していることを特徴とするコンピュータ読み取り可能な媒体。
【請求項１５】
前記スリープレベルの前記少なくとも１つの要件は、前記第１の無線ネットワークノードが従事することになる通信のタイプを規定することを特徴とする、請求項１４に記載のコンピュータ読み取り可能な媒体。
【請求項１６】
前記複数のスリープレベルのそれぞれは、前記第１の無線ネットワークノードが従事することになる通信の各タイプを規定する要件を含むことを特徴とする、請求項１５に記載のコンピュータ読み取り可能な媒体。
【請求項１７】
前記無線ネットワークは無線デスクトップデバイスクラスタを含むことを特徴とする、請求項１４に記載のコンピュータ読み取り可能な媒体。
【請求項１８】
前記無線ネットワークは無線大衆消費電子製品ネットワークを含むことを特徴とする、請求項１４に記載のコンピュータ読み取り可能な媒体。
【請求項１９】
前記無線ネットワークは無線ホーム娯楽ネットワークを含むことを特徴とする、請求項１４に記載のコンピュータ読み取り可能な媒体。
【請求項２０】
前記無線ネットワークはアドホックネットワークを含むことを特徴とする、請求項１４に記載のコンピュータ読み取り可能な媒体。
【請求項２１】
ＵＷＢ伝送は時間スロットに分割され、前記選択されたスリープレベルの識別表示を送信するステップは、選択された時間スロットにおいて前記識別表示を送信することを特徴とする、請求項１４に記載のコンピュータ読み取り可能な媒体。
【請求項２２】
前記選択された時間スロットは、ビーコンスロットと管理データスロットからなる群から選択されることを特徴とする、請求項２１に記載のコンピュータ読み取り可能な媒体。
【請求項２３】
ＵＷＢ伝送はスペクトル区分に分割され、前記選択されたスリープレベルの識別表示を送信するステップは、選択されたスペクトル区分において前記識別表示を送信することを特徴とする、請求項１４に記載のコンピュータ読み取り可能な媒体。
【請求項２４】
前記選択されたスリープレベルの識別表示を送信するステップは、前記第１の無線ネットワークノードの前記ネットワークに対する接続中に前記識別表示を送信することを特徴とする、請求項１４に記載のコンピュータ読み取り可能な媒体。
【請求項２５】
前記選択されたスリープレベルの識別表示を送信するステップは、前記第１の無線ネットワークノードの前記ネットワークに対する接続後に前記識別表示を送信することを特徴とする、請求項１４に記載のコンピュータ読み取り可能な媒体。
【請求項２６】
前記選択されたスリープレベルの識別表示を送信するステップは、定期的に前記識別表示を送信することを特徴とする、請求項２５に記載のコンピュータ読み取り可能な媒体。
【請求項２７】
残存容量を有する消耗可能な電源を備えた無線ネットワークノードであって、
１つ又は複数の他の無線デバイスが前記無線ネットワークノードの通信範囲内に存在することを検出し、前記１つ又は複数の他の検出されたノードとの各接続を確立するための接続モジュールと、
前記消耗可能な電源の前記残存容量を評価し、複数の使用可能なスリープレベルから前記残存容量に基づいて前記無線ネットワークノードについての、少なくとも１つの要件を含む各スリープレベルを決定して、前記決定されたスリープレベルの指示を前記１つ又は複数の他の無線デバイスに対して送信するための電力管理モジュールと
を備えることを特徴とする無線ネットワークノード。
【請求項２８】
前記決定されたスリープレベルの前記指示が前記１つ又は複数の他の無線デバイスに対して送信された後に、前記無線ネットワークノードとの間のその後続の通信が、前記決定されたスリープレベルの前記少なくとも１つの要件と整合していることを特徴とする、請求項２７に記載の無線ネットワークノード。
【請求項２９】
前記スリープレベルの前記少なくとも１つの要件は、前記無線ネットワークノードが従事することになる通信のタイプを規定することを特徴とする、請求項２７に記載の無線ネットワークノード。